(57)【特許請求の範囲】
【請求項１】
コインを受けるための底面が平面とされたベースと、このベースに回転自在に配置された回転ディスクと、この回転ディスクの円周方向に配設され、該回転ディスクを厚さ方向に貫通する複数の開口と、前記回転ディスクに設けられ、回転ディスクと共に回転することにより前記ベース上のコインを回転ディスクの中心から離れる方向に送り出す、前記開口と同数のひれと、前記回転ディスクを回転させるアクチュエータと、前記ベースに形成されたコイン送出し開口部と、前記コイン送出し開口部近傍に揺動自在に配置され、少なくとも一方向にばねによって付勢された検出ローラと、前記検出ローラの近傍に揺動自在に配置され、この検出ローラと連動する検出レバーと、前記検出レバーの揺動によりコイン枚数をカウントするセンサ手段と、を備えてなり、前記ひれに押出されて前記コイン送出し開口部から投出されるコインによって、前記検出ローラが前記ばねの付勢力に抗して揺動するのと連動して、前記検出レバーが、前記検出ローラ揺動前に対応する通常位置から、前記検出ローラ揺動後に対応する検出位置まで揺動するコイン投出装置において、
前記回転ディスクと同軸的に円周方向に並列配置され、各々前記回転ディスクと一体的に回転して、前記検出位置にある前記検出レバーを前記通常位置方向に強制的に復帰可能な、前記開口と同数の押戻し部を備えることを特徴とするコイン投出装置。
【請求項２】
請求項１において、前記押戻し部が、前記ひれの先端によって構成されていることを特徴とするコイン投出装置。
【請求項３】
請求項１又は２において、前記検出ローラが、前記回転ディスクの中心に対して接近、離間するように揺動自在に配置されると共に、前記ばねによって前記離間方向に付勢され、前記コイン送出し開口部を通過するコインによって、前記検出ローラが前記ばねの付勢力に抗して前記近接側に揺動される際には、この検出ローラが前記押戻し部の回転半径内に介入するよう設定されており、
前記押戻し部が自らの回転により、前記回転半径内に位置する前記検出ローラを前記離間側に強制的に押戻すことで、この検出ローラと連動して前記検出位置にあった前記検出レバーが前記通常位置側に強制的に復帰することを特徴とするコイン投出装置。
【請求項４】
請求項１において、前記押戻し部が、前記ベースの背面側にて前記回転ディスクと一体的に回転可能に配置される押戻しディスクの円周方向に並列形成されていることを特徴とするコイン投出装置。
【請求項５】
請求項４において、前記検出レバーには、自らが前記検出位置にある場合に前記押戻し部と当接可能な受部が形成されていることを特徴とするコイン投出装置。
【発明の詳細な説明】
【０００１】
【発明の属する技術分野】
この発明は、遊戯機、両替機等に用いられるコイン投出装置に関する。
【０００２】
【従来の技術】
従来のこの種のコイン投出装置としては、例えば特開平９−３１９９０８号公報に開示されるコイン払出し装置がある。
【０００３】
これらは、コインを受けるための底面が平面とされた円形凹部からなるベースと、このベースの円形凹部に回転自在に配置された回転ディスクと、この回転ディスクの円周方向に配設され、該回転ディスクを厚さ方向に貫通する複数の開口と、前記回転ディスクと一体的に設けられ、回転ディスクと共に回転することにより前記円形凹部底面上のコインを回転ディスクの中心から離れる方向に送り出す、前記開口と同数のひれと、回転ディスクを回転させるためのアクチュエータと、前記円形凹部の周壁の一部を切欠いて形成されたコイン送出し開口部と、このコイン送出し開口部における前記回転ディスクの回転方向上流側端位置に配置されたガイドローラと、このガイドローラよりも回転方向下流側に配置された検出ローラと、を有してなり、前記検出ローラは少なくとも１方向にばねにより付勢されると共に、前記ひれにより送られるコインによって、前記ばねの付勢力に抗して移動され、コインによって押し拡げられたガイドローラと検出ローラの間を通って前記コインを投出するコイン投出装置であり、前記回転ディスク上方に配置されたコインホッパに蓄えられているコインを、回転ディスクの回転により所定個数、前記ばねにより付勢して勢い良く投出するようにしている。
【０００４】
この前記特開平９−３１９９０８号公報に開示されたコイン払出し装置においては、コインの投出枚数をより確実に検出するため、２つの前記検出ローラがコイン投出方向に並列配置されており、各々の前記検出ローラを検出レバーによって揺動自在に支持するように構成されている。従って、２本の検出レバーがコイン投出時に大きく揺動したとき、該レバー先端によって共に横切られる位置に光センサを取り付けるようにし、これによって確実に投出コイン数を計数するようにしている。
【０００５】
【発明が解決しようとする課題】
しかし、前記特開平９−３１９９０８号公報に開示されたコイン払出し装置においては、投出コイン数を計数するのに際して、前記２つの検出ローラ及び前記ガイドローラからなる３個の回転ローラが必要であり、構造が複雑であると共に、製造コストが高くなるという問題点があった。更に、投出コイン数を計数するセンサがオープン状態であるため、外部から前記センサに直接遮蔽板を入れてこれを覆うことが可能であり、このため、故意に遮蔽板を装入すると、センサのカウントアップが阻止され、コインを余分に払い出してしまうことがあった。
【０００６】
この問題を回避するためにセンサにカバーを取付けることが一般的に行われている。
【０００７】
しかしながら、たとえセンサのみにカバーを取付けたとしても、前記コイン送出し開口部から棒状の異物を挿入し、この異物によって前記２つの検出ローラを常時押し広げた場合にも、結局、センサのカウントアップが同様に阻止され、コインを余分に払い出してしまうという問題があった。
【０００８】
このような問題点を防止するものとして、特開平６−２６６９２２に開示されているようなコイン投出装置がある。
【０００９】
このコイン投出装置は、前記コイン送出し開口部の外側に、更に別途コイン排出口が形成された保護カバーを取り付けて構成されている。この保護カバーには、通常は前記コイン排出口の遮蔽を行い、コイン払出し時にはコインの押圧により退避位置に回動されてコイン排出口の開放を行う回動自在な遮蔽板が取り付けられている。
【００１０】
しかしながら、このコイン投出装置においても前記遮蔽板の開放時に前記コイン排出口から異物を挿入し、検出ローラを常時一方向に付勢してカウントアップを阻止することが可能であり、上記の問題点を根本的に解決したものではなかった。又、保護カバーによりコイン投出装置が大きいものになっていた。
【００１１】
この発明は、上記従来の問題点に鑑みてなされたものであって、少ない部品点数で投出コイン数を確実に計数することで、コインを余分に投出したり、又投出コイン数の不足が生じることがないようにすると共に、コインを余分に投出させようとする不正行為を確実に阻止することができるコイン投出装置を提供することを目的とする。
【００１２】
【課題を解決するための手段】
本発明は、コインを受けるための底面が平面とされたベースと、このベースに回転自在に配置された回転ディスクと、この回転ディスクの円周方向に配設され、該回転ディスクを厚さ方向に貫通する複数の開口と、前記回転ディスクに設けられ、回転ディスクと共に回転することにより前記ベース上のコインを回転ディスクの中心から離れる方向に送り出す、前記開口と同数のひれと、前記回転ディスクを回転させるアクチュエータと、前記ベースに形成されたコイン送出し開口部と、前記コイン送出し開口部近傍に揺動自在に配置され、少なくとも一方向にばねによって付勢された検出ローラと、前記検出ローラの近傍に揺動自在に配置され、この検出ローラと連動する検出レバーと、前記検出レバーの揺動によりコイン枚数をカウントするセンサ手段と、を備えてなり、前記ひれに押出されて前記コイン送出し開口部から投出されるコインによって、前記検出ローラが前記ばねの付勢力に抗して揺動するのと連動して、前記検出レバーが、前記検出ローラ揺動前に対応する通常位置から、前記検出ローラ揺動後に対応する検出位置まで揺動するコイン投出装置において、前記回転ディスクと同軸的に円周方向に並列配置され、各々前記回転ディスクと一体的に回転して、前記検出位置にある前記検出レバーを前記通常位置方向に強制的に復帰可能な、前記開口と同数の押戻し部を備えることを特徴とするコイン投出装置により、上記目的を達成するものである。
【００１３】
又、前記押戻し部が、前記ひれの先端によって構成されていても良い。
【００１４】
更に、前記検出ローラが、前記回転ディスクの中心に対して接近、離間するように揺動自在に配置されると共に、前記ばねによって前記離間方向に付勢され、前記コイン送出し開口部を通過するコインによって、前記検出ローラが前記ばねの付勢力に抗して前記近接側に揺動される際には、この検出ローラが前記押戻し部の回転半径内に介入するよう設定されており、前記押戻し部が自らの回転により、前記回転半径内に位置する前記検出ローラを前記離間側に強制的に押戻すことで、この検出ローラと連動して前記検出位置にあった前記検出レバーが前記通常位置側に強制的に復帰するようにしても良い。
【００１５】
又、本発明において、前記押戻し部が、前記ベースの背面側にて前記回転ディスクと一体的に回転可能に配置される押戻しディスクの円周方向に並列形成されるようにしても良い。
【００１６】
更に、前記検出レバーには、自らが前記検出位置にて前記押戻し部と当接可能な受部が形成されるようにしてもよい。
【００１７】
なお、ここにおいて「連動」とは、検出ローラと検出レバーが完全に一体となっている状態に限定されるものではなく、何らかの関係により共に動作する場合も含むものである。又、「復帰」とは、検出レバーが完全に元の位置まで戻ることのみに限定されるものではなく、少なくとも検出手段の検知ポイント（信号のオン・オフが切り替わる位置）を横切る事が可能な状態を意味するものである。
【００１８】
更に、前記センサ手段は、検出レバーの検出位置に配置されているものに限定されない。検出レバーの通常位置側にセンサ手段を配置し、この検出レバーが揺動して検出位置側に退避することでコインを「検出する」場合も含むものである。
【００１９】
【発明の実施の形態】
以下本発明の実施の形態の例を図面を参照して説明する。
【００２０】
この実施の形態の例に係るコイン投出装置１０は、図１に示されるように、ベース１２と、このベース１２の円形凹部１２Ａ内において、この円形凹部１２Ａ中心位置で、モータ２６のモータ軸２６Ａにより、円形凹部１２Ａの底面１３に沿って回転駆動されるサブディスク１４と、このサブディスク１４の上側にこれと一体的に設けられた回転ディスク１６と、この回転ディスク１６の上方に配置されたコインホッパ１８と、前記ベース１２において、前記円形凹部１２Ａから連続的に溝状に形成されているコイン送出し開口部２０位置に設けられたコイン投出制御機構３２とを備えて構成されている。
【００２１】
前記回転ディスク１６には、その円周方向に複数の開口１６Ａが形成され、コインホッパ１８から落下してくるコイン２４を前記円形凹部１２Ａの底面１３と平行状態にして該底面１３上に落とし込むようにされている。なお、円形凹部１２Ａに代えてベース１２に円形凹部１２Ａの外周に沿って立設した外周壁をベース１２に形成しても良い。又、ここで、コインとは、硬貨、メダル等の円形板状体をいう。
【００２２】
前記サブディスク１４には、前記開口１６Ａと同数のひれ１５を備え、各ひれ間に形成されたガイド溝１５Ａに落下したコイン２４を、図１において時計方向に回転するとき、半径方向外側に送り出すようにされている。
【００２３】
前記図１及び裏面側から見た斜視図である図２に示されるように、前記コイン投出制御機構２２は、前記ベース１２におけるコイン送出し開口部２０の裏側に検出ベース回転軸２８によってベース１２の裏面と平行に揺動自在に支持された検出ベース３０と、この検出ベース３０に対して、その裏側に、検出レバー軸３２によって揺動自在に取り付けられた検出レバー３４と、前記検出ベース３０の上面に取り付けられ、前記コイン送出し開口部２０における、回転ディスク１６回転方向下流側端部位置に形成されたガイドローラ孔２０Ａから上方に突出するガイドローラ３６と、前記検出レバー３４の上側に取り付けられ、前記ベース１２における前記コイン送出し開口部２０の回転ディスク回転方向下流側端部近傍に形成された検出ローラ孔２０Ｂから突出する検出ローラ３８と、を備えて構成されている。
【００２４】
ここで、前記検出ベース３０には、前記検出ベース回転軸２８を中心とした円弧状の回転ガイド溝４０Ａが形成され、且つ、この回転ガイド溝４０Ａを挿通して検出ベース回転ガイド軸４０Ｂがベース１２の裏面に設けられ、これによって、検出ベース３０の、検出ベース回転軸２８を中心とする揺動範囲が、回転ガイド溝４０Ａの長さ範囲に限定されるようにしている。
【００２５】
又、前記検出ベース回転ガイド軸４０Ｂと、前記検出ベース３０のばね掛側部４２Ａとの間には、検出ベースばね４２が装架され、これにより、検出ベース３０は、前記検出ベース回転軸２８を中心として、図１において時計方向（図２において反時計方向）に付勢されている。
【００２６】
又、前記検出レバー３４におけるばね掛部４４Ａと、前記検出ベース回転軸２８との間には検出レバーばね４４が装架され、この検出レバーばね４４の引張力によって、検出レバー３４は、検出レバー軸３２を中心として図１において反時計方向（図２において時計方向）に付勢されている。
【００２７】
図２に明確に示されるように、前記検出ベース３０の自由端側に、センサベース３１が直角下向に折れ曲がって形成されている。
【００２８】
このセンサベース３１には、前記検出ベース３０が揺動されない状態であって、且つ検出レバー３４が検出レバーばね４４の付勢力に抗して、前記ガイドローラ３６と検出ローラ３８との間隔がコイン直径分になるまで、図２において反時計方向に揺動したとき、検出レバー３４の先端の遮蔽部３４Ａによって横切られることで投出コイン数の１個分をカウントアップすることができるコイン投出センサ４６が設けられている。
【００２９】
即ち、前記検出ローラ３８の揺動と連動して（本実施例では一体となって）、前記検出レバー３４は、前記検出ローラ３８の揺動前に対応する通常位置から、前記検出ローラ３８揺動後に対応する検出位置まで揺動可能とされており、これによって前記コイン投出センサ４６が投出コイン数の１個分をカウントアップするようになっている。
【００３０】
又、図３に示されるように、前記検出ローラ３８は、前記回転ディスク１６の中心に対して接近、離間可能に揺動自在に配置されており、この検出ローラ３８が、検出レバーばね４４に抗して回転ディスク１６の中心方向に、前記ガイドローラ３６との間隔がコイン直径分になるまで揺動したとき、この検出ローラ３８とガイドローラ３６との隙間を通ってコイン２４がコイン送出し開口部２０から投出できるようにされている。又、このときの検出ローラ３８の、回転ディスク１６半径方向の位置は、サブディスク１４のひれ１５の先端部の回転半径内に位置するようにされている。
【００３１】
前記サブディスク１４のひれ１５の先端は、前記ガイドローラ３６との間隔がコイン直径分になるまで揺動している前記検出ローラ３８を元の位置に強制的に押し戻すことが可能な押戻し部５０とされている。
【００３２】
即ち、この押戻し部５０は、各コインを前記コイン送出し開口部２０方向に出した後、更に、各々前記回転ディスク１６と一体的に回転して、前記検出ローラ３８を介して前記検出位置にある前記検出レバー３４を前記通常位置側に復帰可能とされている。
【００３３】
前記サブディスク１４におけるひれ１５の先端の、コイン２４に当接する箇所には、サブディスク１４の、図３において時計方向への回転時にコイン２４（その後は、検出ローラ３８）を外方に押し出す傾斜ガイド面１５Ｂが形成されている。
【００３４】
図２、３の符号３５は、前記検出レバー３４の、図２において時計方向（図３において反時計方向）の揺動を規制するストッパを示す。
【００３５】
次に、上記実施の形態の例に係るコイン投出装置１０の作用について説明する。
【００３６】
コインホッパ１８に投入され、且つ回転ディスク１６の回転によって開口１６Ａから、円形凹部１２Ａの底面１３と平行状態で、該底面１３上に到達したコイン２４は、回転ディスク１６の回転に伴ない、各開口１６Ａに対応するひれ１５のガイド溝１５Ａに沿って、半径方向外側に押し出されていく。
【００３７】
このコイン２４が、図４（Ａ）に示されるように、前記ガイドローラ３６に当接し、且つ、これと検出ローラ３８との間に割込むようにして、検出ローラ３８を、検出レバーばね４４（図１参照）に抗して図において時計方向（回転ディスク１６の中心方向）に揺動させ、コイン２４の中心２４Ａがガイドローラ３６と検出ローラ３８との中心を通る直線を超えたとき（図４（Ｂ）参照）、検出レバーばね４４の付勢力によって、コイン２４は勢い良く押し出され（図４（Ｃ）参照）、コイン送出し開口部２０から投出される。
【００３８】
前記図４（Ｂ）の状態のとき、検出レバー３４の遮蔽部３４Ａが、センサベース３１に取り付けられているコイン投出センサ４６を遮ることによって、コイン２４の投出数が１回カウントアップされる。
【００３９】
次に、コインを余分に払い出そうとする不正行為中における、前記コイン投出装置１０の作用について説明する。
【００４０】
図５（Ａ）に示されるように、前記コイン送出し開口部２０を介して針金や棒等の異物５２を挿入し、前記検出ローラ３８（又は、検出レバー３４）をこの異物５２により内部に押し込んだ場合、通常であれば検出レバー３４が揺動しなくなるので、コイン投出センサ４６によるカウントアップが阻止されたまま、図５（Ｂ）に示されるように、コインは前記コイン送出し開口部２０から投出される。
【００４１】
しかしながら、その後図５（Ｃ）に示されるように、前記ひれ１５の先端によって構成される押戻し部５０によって前記検出ローラ３８が前記回転ディスク１６の中心に対して離間方向に押し戻され、この検出ローラ３６を介して前記検出レバー３４は前記検出位置から前記通常位置方向に強制的に押し戻される。従って、たとえ前記異物５２を挿入するような不正行為に対しても、前記コイン投出センサ４６によって、次回投出されるコイン２４Ａのカウントアップを確実に行うことが可能となる。
【００４２】
又、コイン２４の投出後に、検出レバーばね４４の不調等の理由によって、前記検出ローラ３８が原位置に復帰しない場合も図５に示すのと同様であり、コイン２４を押し出した後の前記押戻し部５０が、この押戻し部５０の回転半径内にある検出ローラ３８を押して、これを原位置に復帰させる。
【００４３】
従って、たとえ検出レバーばね４４が不調になったとしても、検出ローラ３８とガイドローラ３６との間が常時開いたままでコイン２４が誤って投出されてしまうことで、コイン枚数の計数ミスが生じるようなことがない。
【００４４】
次に、コインが投出されない場合について説明する。
【００４５】
図６（Ａ）に示されるように、サブディスク１４に押されたコイン２４が、検出ローラ３８とガイドローラ３６との間に入り込まないで、検出ローラ３８とコイン２４との接点、サブディスク１４のひれ１５とコイン２４との接点、及び、コイン２４の中心２４Ａが一直線上に配列されたとき、この直線よりも図において左側（外側）に検出レバー軸３２が位置しているために、検出レバー３４を時計方向に回転する力が作用しない。
【００４６】
従って、検出レバー３４が検出レバーばね４４に抗して揺動されることがなく、コイン投出センサ４６がコイン投出をカウントアップすることがない。
【００４７】
このとき、検出レバー３４には、これを反時計方向に回転させる力が作用しているが、検出レバー３４は検出ベース３０に設けられているストッパ３５に当接して、これ以上の反時計方向の揺動が不能な状態となっている。
【００４８】
この状態で更に回転ディスク１６が回転すると、図６（Ｂ）のように、検出ベース回転軸２８を中心として、検出ベース３０が、検出ベースばね４２に抗して反時計方向に揺動され、検出ローラ３８は回転ディスク１６の中心から離間する方向に変位され、これによりひれ１５が検出ローラ３８と干渉することなくコイン２４を内方に押しつつ移動していく。
【００４９】
このとき、検出ベース３０に支持されている前記ガイドローラ３６は、ガイドローラ孔２０Ａ内を検出ローラ３８に接近する方向に揺動し（図６（Ｂ）参照）、これによって検出ローラ３８とガイドローラ３６と検出レバーを検出ベースに設けた構成とし、検出ローラとガイドローラの視点の距離がメダルロック時も同一になっているので、メダルがこの二つのローラの間を通過すれば絶対にカウントする機構になっている。
【００５０】
一方、前記検出ベース３０は、前述のように、検出ベース回転軸２８を中心として検出ベースばね４２によって時計方向に付勢されているため、図６（Ｃ）に示されるように、ひれ１５の回転に従って、圧力により、コイン２４の接点の位置が変化していき、コイン２４は、ひれ１５のガイド溝１５Ａ内で回転ディスク１６の中心方向に移動し、即ちガイド溝１５Ａ内に戻され、ひれ１５が更に時計方向に１回転したとき、次回に投出される。
【００５１】
従って、コイン２４がガイドローラ３６と検出ローラ３８の間から正常に投出されない場合でも、誤ってコイン投出センサ４６がカウントアップしたり、コイン２４が詰まってロックを発生することがない。
【００５２】
次に、図７に示す実施の形態の第２例に係るコイン投出装置６０について詳細に説明する。
【００５３】
このコイン投出装置６０は、前記ベース１２の裏面に、前記モータ軸２６Ａに回動自在に支持される押戻しディクス６２が設けられており、この押戻しディスク６２の外縁には前記開口１６Ａと同数の前記押戻し部５０が、円周方向等間隔に設けられている。
【００５４】
又、コイン投出制御機構３２は、前記図７及び裏面側から見た斜視図である図８に示されるように、前記ベース１２におけるコイン送出し開口部２０の裏側に検出レバー軸３２によってベース１２の裏面と平行に揺動自在に取り付けられた検出レバー３４と、前記検出レバー３４の上側に取り付けられ、前記ベース１２における前記コイン送出し開口部２０の回転ディスク回転方向下流側端部近傍に形成された検出ローラ孔２０Ｂから突出する検出ローラ３８と、前記検出レバー軸３２よりも前記回転ディスク１６の半径方向外側に設けられたばね支持部６４と、備えて構成されている。
【００５５】
更に、前記コイン投出制御機構２２は、前記ベース１２の裏面に固定されて、前記検出レバー３４の自由端側に位置するようにしたセンサベース３１と、このセンサベース３１に固定されるコイン投出センサ４６と、を備えて構成されている。
【００５６】
前記検出レバー３４には、ばね掛部４４Ａが設けられており、このばね掛部４４Ａと、前記ばね支持部６４との間には検出レバーばね４４が装架され、これにより、検出レバー３４は、前記検出レバー軸３２を中心として、図７において反時計方向（図８において時計方向）に付勢されている。
【００５７】
更に、検出レバー３４には、前記押戻し部５０方向に突出する受部６６が形成されており、前記検出レバー３４と一体となって、前記回転ディスク１６の中心（モータ軸２６Ａ）に対して接近、離間方向に揺動自在とされている。又、前記受部６６のモータ軸６４方向突出具合は、前記検出ローラ３８の揺動に連動して前記検出レバー３４が前記検出位置とされる場合に、この受部６６が前記押戻し部５０と当接可能となるように設定されている。即ち、前記受部６４は、自らの揺動により前記押戻し部５０の回転半径内に介入するようになっている。
【００５８】
なお、前記コイン投出装置６０の他の構成については、既に実施の形態の第１例で示したコイン投出装置１０とほぼ同一であるため、同一部分には前記コイン投出装置１０と同一符号を付することにより詳細な説明は省略する。
【００５９】
前記コイン投出装置６０によれば、図９（Ａ）に示されるように、前記コイン送出し開口部２０を介して外部から挿入された異物５２により前記検出ローラ３８（又は、検出レバー３４）が内部に押し込まれた場合であっても、図９（Ｂ）に示されるように、前記ひれ１５の回転によりコイン２４が前記コイン送出し開口部２０から滑らかに投出された後、図９（Ｃ）に示されるように、前記回転ディスク１６と一体となって回転する押戻しディスク６２に設けられた押戻し部５０と、前記検出レバー３４に設けられた前記受部６４とが当接し、この押戻し部５０の回転により前記検出位置にある前記検出レバー３４が通常位置側に強制的に復帰させられる。
【００６０】
従って、異物５２を挿入することによってコイン投出センサ４６のカウントアップを阻止させる不正行為を確実に防止することが可能となり、特に、このコイン投出装置６０においては直接検出レバー３４を押し戻すので、異物５２によって前記検出レバー３４を直接押し込んだ場合等に大変有効である。
【００６１】
次に、図１０に示す実施の形態の第３例に係るコイン投出装置７０について説明する。
【００６２】
このコイン投出装置７０は、前記コイン投出センサ４６を遮蔽することによりコインカウントアップを行う検出レバー３４と、これとは別個に前記検出ローラ３８を支持する検出ローラベース７２とが各々検出レバー軸３２を中心として、独立して揺動自在に設けられている。
【００６３】
前記検出ローラベース７２の自由端側には、ばね掛部４４Ａが設けられており、このばねかけ部４４Ａと、検出レバー軸３２近傍に設けられた前記ばね支持部６４との間に引張りばねである検出ローラーばね７４が装架されている。又、前記検出レバーの自由端側には、ばね受部３４Ｂが設けられており、このばね受部３４Ｂと前記ばね掛部４４Ａとの間には圧縮ばね７６が装架されている。なお、前記検出ローラベース７２にはストッパ７２Ａが設けられており、前記検出レバー３４が前記圧縮ばね７６によって、図１０において反時計方向に付勢されて、このストッパ７２Ａと当接する状態で停止するようになっている。
【００６４】
なお、前記コイン投出装置７０のその他の構成については、実施の形態の第２例で示したコイン投出装置６０とほぼ同様であるため、同一部分には前記コイン投出装置６０と同一符号を付することにより詳細な説明は省略する。
【００６５】
このコイン投出装置７０においては、通常は前記検出ローラ３８と前記検出レバー３４は連動して揺動する。しかし、異物によって前記検出ローラ３８が内部に押し込まれた場合においては、前記押戻し部５０の回転によって、前記検出レバー３４「のみ」が前記圧縮ばね７４の付勢力に抗して検出位置から通常位置に復帰させられる。従って、異物によっていかなる強い力で前記検出ローラ３８を押し込んだ場合であっても、前記検出レバー３４のみが確実に揺動してコインの枚数をカウントすることが可能となり、前記押戻しディスク６２を回動させる前記モータ２６に過渡の負担を生じさせることもない。
【００６６】
なお、上記の実施の形態の各例においては、押戻し部５０が直接的に検出レバー３４（検出ローラ３８）を復帰させる場合のみを示したが、本発明はこれに限定されるものでなく、これらの間にリンク機構等を配置して、間接的に押し戻す場合を含むものである。
【００６７】
【発明の効果】
本発明は上記のように構成したので、投出コイン数の計数ミスをすることなく、確実に投出することができると共に、異物等を挿入して予定枚数以上のコインを投出させようとする不正行為を阻止することができるという優れた効果を有する。
【図面の簡単な説明】
【図１】本発明の実施の形態の第１例に係るコイン投出装置を示す分解斜視図
【図２】同コイン投出装置におけるコイン投出制御機構を裏面から見た斜視図
【図３】同コイン投出制御機構を示す平面図
【図４】同コイン投出装置によってコインを投出する過程を示す平面図
【図５】不正行為中における同コイン投出装置によってコインを投出する過程を示す平面図
【図６】同コイン投出装置において、コインが正常に投出できない場合の動作を示す平面図
【図７】本発明の実施の形態の第２例に係るコイン投出装置を示す分解斜視図
【図８】同コイン投出装置におけるコイン投出制御機構を裏面から見た斜視図
【図９】不正行為中における同コイン投出装置によってコインを投出する過程を示す平面図
【図１０】本発明の実施の形態の第３例に係るコイン投出装置の要部を裏面から見た斜視図
【符号の説明】
１０、６０、７０…コイン投出装置
１２…ベース
１２Ａ…円形凹部
１３…底面
１４…サブディスク
１５…ひれ
１５Ａ…ガイド溝
１５Ｂ…傾斜ガイド面
１６…回転ディスク
１６Ａ…開口
１８…コインホッパ
２０…コイン送出し開口部
２２…コイン投出制御機構
２４…コイン
２４Ａ…中心
２６…モータ
２６Ａ…モータ軸
２８…検出ベース回転軸
３０…検出ベース
３１…センサベース
３２…検出レバー軸
３４Ａ…遮蔽部
３６…ガイドローラ
３８…検出ローラ
４０Ａ…回転ガイド溝
４０Ｂ…検出ベース回転ガイド軸
４２…検出ベースばね
４４…検出レバーばね
４６…コイン投出センサ
５０…押戻し部
６２…押戻しディスク
６４…受部
【図１】
0004382203.tif 000002
【図２】
0004382203.tif 000003
【図３】
0004382203.tif 000004
【図４】
0004382203.tif 000005
【図５】
0004382203.tif 000006
【図６】
0004382203.tif 000007
【図７】
0004382203.tif 000008
【図８】
0004382203.tif 000009
【図９】
0004382203.tif 000010
【図１０】
0004382203.tif 000011